(57)【要約】【課題】上下方向に配置された支柱を備える照明装置であって、該支柱の下部に配置された光源から出て支柱を構成する中空部材内を通って搬送される光を該支柱の根元近傍に照射する照明装置を提供すること。【解決手段】上下方向に配置された支柱１は内面が鏡面の中空部材で構成され、その根元付近に光源が設置されている。支柱１の上端に反射板２が配置され、中空部材内を搬送される光源からの光を反射板２で反射させ、支柱周辺を照明する。中空部材には、その長手方向に沿って光を外部に放射する放光口４が設けられ、放光口４に、放光口４から放射される光を支柱１の根元近傍に反射する複数枚の板状のルーバー３を設ける。【選択図】図１
0003143490.tif 000002
【実用新案登録請求の範囲】
【請求項１】
上下方向に配置された支柱の上端に反射板が配置され、該反射板で反射された光により、支柱周辺を照明する照明装置であって、
上記支柱は、内面が鏡面である中空部材で構成され、該支柱の下部には光源が配置され、該光源から出た光が、中空部材を通って上記反射板に搬送され、この反射板で反射されて外部に放射され、
上記中空部材には、その長手方向に沿って光を外部に放射する放光口が設けられ、
上記放光口に、該放光口から放射される光を上記支柱の根元近傍に反射する複数枚の板状の光反射部材が設けられている
ことを特徴とする照明装置。
【請求項２】
上記中空部材が、該中空部材内を伝送される光の進行方向に向かって断面積が大きくなるように構成されている
ことを特徴とする請求項１に記載の照明装置。
【考案の詳細な説明】
【技術分野】
【０００１】
本考案は、内面が鏡面である中空部材で構成された支柱の根元近傍に対して光を照射する照明装置に関する。
【背景技術】
【０００２】
１または２の光源を用いて、長い領域に渡りライン状の光を放射する照明装置（以下このような照明装置をライン状照明装置と呼ぶこととする）は、例えばトンネル内や通路などの照明に好適である。
図８に従来のライン状照明装置の構成例を示す。図８に示すように、ライン状照明装置は、内面が鏡面に形成された中空部材１００に放光口１０１を設け、例えば中空部材１００の２つの開放端の一方に光源１０３を設けたものである。なお、光源１０３を中空部材１００の両開放端に設けてもよい。光源１０３から出た光は、中空部材１００の内面の鏡面で反射しながら中空部材１００内を搬送され、放光口１０１から外部に放射される。
【０００３】
なお、下記の特許文献１は、下から立ち上がる光を上空へ漏らさないように、また器具内へ戻さずに下面に反射させる照明装置について提案している。特許文献１が提案する照明装置は、ライトガイドの出射部の近傍を反射鏡で覆い、この出射部からの光を反射鏡で下方に反射することによって、上方向への光をカットする。
【特許文献１】特開２００３−３４６５２５号公報
【考案の開示】
【考案が解決しようとする課題】
【０００４】
図８に示すような従来のライン状照明装置では、中空部材１００が水平方向に設置される場合が多く、照明装置を設置する場合には、中空部材１００を壁面あるいは天井面に直に取り付けるか、中空部材１００を支持するための例えば支柱などの部材が必要であった。
また、中空部材１００に設けられた放光口１０１には、該放光口１０１から放射される光を反射する部材は設けられておらず、特定の方向に光を放射させることはできない。
また、上記特許文献１が提案する照明装置では、ライトガイドが上下方向に設置され、ライトガイドの上端の出射部からの光を反射鏡で下方に反射するように構成されている。しかし、ライトガイドには上記以外に放光口が設けられておらず、その根元近傍等を照明することはできず、足元など照明装置の近傍を効果的に明るくすることはできない。
本考案は、上記従来技術が有する問題点を解決するためになされたものであって、その目的は、上下方向に配置された支柱を備える照明装置であって、該支柱の下部に配置された光源から出て支柱を構成する中空部材内を通って搬送される光を、支柱の上端から下方に向かって照射することができるとともに、支柱の根元近傍にも照射することができる照明装置を提供することである。
【課題を解決するための手段】
【０００５】
上記課題を本考案においては、次のように解決する。
（１）上下方向に配置された支柱の上端に反射板が配置され、該反射板で反射された光により、支柱周辺を照明する照明装置を設ける。上記支柱は、内面が鏡面である中空部材で構成され、該支柱の下部には光源が配置され、該光源から出た光が、中空部材を通って上記反射板に搬送され、この反射板で反射されて外部に放射される。また、上記中空部材には、その長手方向に沿って光を外部に放射する放光口が設けられ、上記放光口に、該放光口から放射される光を上記支柱の根元近傍に反射する複数枚の板状の光反射部材が設けられている。
（２）上記中空部材が、該中空部材内を伝送される光の進行方向に向かって断面積が大きくなるように構成されている。
【考案の効果】
【０００６】
本考案においては、以下の効果を得ることができる。
（１）本考案の照明装置によれば、照明装置の下部に設けられた光源から出た光の一部が、中空部材内を反射しながら支柱の上端の反射板まで搬送される。そして、該反射板まで搬送された光は、該反射板で反射されて外部に放射されて、支柱周辺を照明する。また、上記光源から出た光の一部が、上記中空部材が備える放光口に設けられた光反射部材に反射して、支柱の根元近傍に放射する。
従って、本考案の照明装置によれば、光源から出た光の一部を照明装置の上部から放射して照明装置周辺を照明することができるとともに、光源から出た光の他の一部を支柱の根元近傍等に放射することができ、上部から放射される光だけでは十分照明できない部分も効果的に照明することができる。
（２）本考案の照明装置によれば、上記中空部材が、該中空部材内を伝送される光の進行方向に向かって断面積が大きくなるように構成されている。従って、本考案の照明装置によれば、中空部材の内面の鏡面を反射する光の反射回数を少なくして、該光の減衰を抑えることができる。
【考案を実施するための最良の形態】
【０００７】
図１は、本考案の照明装置の外観の一例を示す図である。
図１において、１は照明装置の支柱、２は反射板、３はルーバー、４は放光口である。支柱１は、上下方向に配置されている。反射板２は支柱１の上端に配置されている。該反射板２は、反射板２を反射する光が該反射板２の配置位置より下方に向かうようにするための形状（例えば、曲面形状）を有している。支柱１は、内面が鏡面である中空部材で構成され、該支柱１の下部には光源２０（図３を参照）が配置されている。該光源２０から出た光が、中空部材を通って反射板２に搬送され、この反射板２で反射されて外部に放射され、支柱１周辺を照明する。
【０００８】
支柱１を構成する上記中空部材には、その長手方向に沿って光を外部に放射する放光口４が設けられている。放光口４の配置位置は、支柱１の下方の任意の位置である。そして、放光口４に、放光口４から放射される光を反射する複数枚の板状の光反射部材（例えば、白色アルミニウム板等）であるルーバー３が設けられている。ルーバー３は、放光口４から放射されてルーバー３で反射される光が支柱１の根元近傍に放射するような所定の角度で該放光口４に設けられている。ルーバー３は、例えば、支柱１の長手方向に直交するように放光口４に設けられている。
【０００９】
図２は、図１に示す照明装置のＡＡ線矢視図である。また、図３は、図２に示す照明装置のＢＢ線矢視図である。
図２、図３に示す鏡面材１１と鏡面材１２とが支柱１内の中空部材の内面を構成している。図３に示すように、支柱１の下部に光源２０が配置されている。光源２０は、例えばメタルハライドランプ等である。光源２０にはリフレクタ２１が設けられている。図３に示す例では、上記中空部材の、鏡面材１２で構成される内面の部分は、該中空部材内を伝送される光の進行方向に向かって断面積が大きくなるように構成されている。もちろん、中空部材は、内面全体にわたって光の進行方向に向かって断面積が大きくなるように構成されていてもよく、また、内面が一定の断面積を有していてもよい。
【００１０】
図４は、図１に示す照明装置の上端に設けられた反射板による照明を説明する図である。
図４に示すように、光源２０から出た光の一部は、鏡面材１１と鏡面材１２とで構成される中空部材の内面で反射しながら中空部材内を反射板２まで搬送される。反射板２まで搬送された光は、該反射板２で反射されて外部に放射され、支柱１周辺を照明する。
【００１１】
図５は、図１に示す照明装置の支柱の下方に設けられた放光口による照明を説明する図である。
光源２０から出た光の一部は、鏡面材１１と鏡面材１２とで構成される中空部材の内面で反射しながら中空部材内を放光口４まで搬送される。放光口４まで搬送された光は、該放光口４に設けられたルーバー３に反射して、支柱１の根元近傍に放射する。
【００１２】
図６は、本考案の照明装置の照明動作全体を説明する図である。
図４を参照して説明したように、光源２０から出て反射板２まで搬送された光は、該反射板２で反射されて外部に放射され、図６中に示すように支柱１周辺を照明する。また、図５を参照して説明したように、光源２０から出て放光口４まで搬送された光は、放光口４に設けられたルーバー３に反射して、図６中に示すように支柱１の根元近傍に放射する。従って、本考案の照明装置によれば、光源２０から出た光の一部を照明装置の上部から放射して支柱１周辺を照明することができるとともに、光源２０から出た光の一部を照明装置の下部から放射して支柱１の根元近傍を照明することができる。
以上のように本考案の照明装置では、上からだけでなく、下側からも光が放射され、上側からの光だけでは十分に照明することができない、照明装置近くを効果的に照明することができる。また、下側からもルーバを介した光が放射されるので、美的効果も期待することができる。さらに、上記構造の照明装置は、光源が支柱の下部に設けられているので、ランプの交換も容易である。
【００１３】
図７は、支柱を構成する中空部材が、その断面積が中空部材内を伝送される光の進行方向に向かって大きくなるように構成されている場合の効果を説明する図である。
光源２０から出た光は、図７中の矢印で示すように、中空部材の内面の鏡面（図７中では鏡面材１２）に反射して中空部材の上方に搬送される。該中空部材の断面積は光の進行方向に向かって大きくなるので、中空部材内を搬送される光の該中空部材の内面の鏡面への入射角度は次第に小さくなる。従って、中空部材を、その断面積が光の進行方向に向かって大きくなるように構成することによって、中空部材の内面の鏡面を反射する光の反射回数を少なくして、該光の減衰を抑えることができる。
【図面の簡単な説明】
【００１４】
【図１】本考案の照明装置の外観の一例を示す図である。
【図２】図１に示す照明装置のＡＡ線矢視図である。
【図３】図２に示す照明装置のＢＢ線矢視図である。
【図４】照明装置の上端に設けられた反射板による照明を説明する図である。
【図５】照明装置の支柱の下方に設けられた放光口による照明を説明する図である。
【図６】本考案の照明装置の照明動作全体を説明する図である。
【図７】支柱を構成する中空部材が、その断面積が中空部材内を伝送される光の進行方向に向かって大きくなるように構成されている場合の効果を説明する図である。
【図８】従来のライン状照明装置の構成例を示す図である。
【符号の説明】
【００１５】
１  支柱
２  反射板
３  ルーバー
４、１０１  放光口
１１、１２  鏡面材
２０、１０３  光源
２１  リフレクタ
１００  中空部材
【図１】
0003143490.tif 000003
【図２】
0003143490.tif 000004
【図３】
0003143490.tif 000005
【図４】
0003143490.tif 000006
【図５】
0003143490.tif 000007
【図６】
0003143490.tif 000008
【図７】
0003143490.tif 000009
【図８】
0003143490.tif 000010